(57)【要約】      （修正有）【課題】単純な構成により安価で確実な作動が可能な動物用罠装置を提供する。【解決手段】本動物用罠装置は、３分割され互いに回動可能に付勢接続された踏み板と、該踏み板のうち中央踏み板片１の両側に回動自在に接続された一対のＵ字状ワイヤ保持枠１１ａ，１１ｂとからなることを特徴とする。前記踏み板は中央踏み板片及び左右の踏み板片からなり、前記中央踏み板片が下方に降下可能に接続されていて、常時ほぼ水平姿勢になるよう付勢されていることが好適である。【選択図】図１
0003168719.tif 000002
【実用新案登録請求の範囲】
【請求項１】
３分割され互いに回動可能に付勢接続された踏み板と、前記踏み板のうち中央踏み板片の両側に回動自在に接続された一対のＵ字状ワイヤ保持枠とからなることを特徴とする動物用罠装置。
【請求項２】
前記踏み板は中央踏み板片及び左右の踏み板片からなり、前記中央踏み板片が下方に降下可能に接続されていて、常時ほぼ水平姿勢になるよう付勢されていることを特徴とする請求項１記載の動物用罠装置。
【請求項３】
前記踏み板は中央踏み板片及び左右の踏み板片からなり、それぞれが常時上向きにくの字姿勢になるよう付勢されており、仕掛け時には前記左右の踏み板片が前記中央踏み板片に対して水平からやや下向きに成るよう保持されていることを特徴とする請求項１記載の動物用罠装置。
【請求項４】
前記一対のＵ字状ワイヤ保持枠は、仕掛け時に水平よりもやや下向きになるよう保持されていることを特徴とする請求項１乃至３のいずれかに記載の動物用罠装置。
【請求項５】
前記一対のＵ字状ワイヤ保持枠の外周部に凹部が設けられていることを特徴とする請求項１乃至４のいずれかに記載の動物用罠装置。
【請求項６】
前記一対のＵ字状ワイヤ保持枠両方にストッパー孔を設け、コの字型ストッパーを嵌合させることにより前記一対のＵ字状ワイヤ保持枠の作動を防止できるように構成されていることを特徴とする請求項１乃至６のいずれかに記載の動物用罠装置。
【考案の詳細な説明】
【技術分野】
【０００１】  本考案は、猪、鹿等の有害野生動物を捕獲するための罠装置に関する。
【背景技術】
【０００２】  従来から、猪や鹿等の有害野生動物を捕獲するための罠として、踏み板の反動によるワイヤ発射タイプの装置が提案されている。【０００３】  例えば、特許文献１には、踏み板の上面に半円弧状の作動体を互いに対向させて載置し、各作動体の回動端部を枠体の受け桟に載置し、縮小方向に付勢されたループを有するワイヤを各作動体の外周に懸回してリング状に保形した野生動物用罠が開示されている。しかし、この装置では作動体の支点と受け桟との距離が大きいため、踏み板の降下距離が長くならないと作動しにくいという問題点がある。【０００４】  また、特許文献２には、踏み板と半枠状に構成された１対の作動部材と、この作動部材を指示する枠体と、付勢手段によりループ状に保持された捕獲ワイヤとからなる動物捕獲用罠が開示されている。この装置では、枠体に切り欠き縁を設け、この切り欠き縁により作動部材の回動を発生させるため、作動部材の初動速度を向上し確実に動物を捕獲できるとされる。しかしながら、この装置においては、踏み板と作動部材は一体であるが枠体は分離されているため、ワイヤを設置する際に特別な安全装置を取り付けた上で行わなければならない。【０００５】  さらに、特許文献３では、本体台座の内側壁面に跳ね上げストッパーを装着した踏み板を構成する中軸を設け、本体台座に設けた中軸の両端部に装着した跳ね上げスプリングと接合したＵ字アームを本体台座の外側壁面に装着した猪捕獲補助器具が開示されている。しかしながらこの装置では、地面に凹部を形成して設置しなければならないため、表面が柔らかいところではうまく作動ができない可能性がある。また、跳ね上げストッパーの構成が詳しく記述されていないため、羽根部の保持と作動時の解放の応力配分が困難であるという問題点がある。
【特許文献】
【０００６】
【特許文献１】実用新案登録第３１２７８３２号公報
【特許文献２】実用新案登録第３１５４１９５号公報
【特許文献３】実用新案登録第３１６０１５０号公報
【考案の開示】
【考案が解決しようとする課題】
【０００７】  本考案は上記従来技術の問題点に鑑みてなされたものであり、単純な構成により安価で確実な作動が可能な動物用罠装置を提供することを課題とする。
【課題を解決するための手段】
【０００８】  上記課題を解決するため本考案による動物用罠装置は、３分割され互いに回動可能に付勢接続された踏み板と、前記踏み板のうち中央踏み板片の両側に回動自在に接続された一対のＵ字状ワイヤ保持枠とからなることを特徴とする。【０００９】  前記踏み板は中央踏み板片及び左右の踏み板片からなり、前記中央踏み板片が下方に降下可能に接続されていて、常時ほぼ水平姿勢になるよう付勢されていることが好適である。【００１０】  また、前記踏み板は中央踏み板片及び左右の踏み板片からなり、それぞれが常時上向きにくの字姿勢になるよう付勢されており、仕掛け時には前記左右の踏み板片が前記中央踏み板片に対して水平からやや下向きになるよう保持されている構成を採用することもできる。【００１１】  前記一対のＵ字状ワイヤ保持枠は、仕掛け時に水平よりもやや下向きになるよう保持されていることが望ましい。【００１２】  また、前記一対のＵ字状ワイヤ保持枠の外周部に凹部が設けられていることが好適である。【００１３】  さらに、前記一対のＵ字状ワイヤ保持枠両方にストッパー孔を設け、コの字型ストッパーを嵌合させることにより前記一対のＵ字状ワイヤ保持枠の作動を防止できるように構成することもできる。
【考案の効果】
【００１４】  本考案による動物用罠装置は、踏み板が３分割されて互いに回動可能に付勢接続されているため、動物が踏み板を踏んだ際にどの場所を踏んでも容易に踏み板が降下するため、捕獲ワイヤの発射が確実になる。また、Ｕ字状ワイヤ保持枠と踏み板とが一体的に構成されているため持ち運びや操作が容易である。
【考案を実施するための最良の形態】
【実施例】
【００１５】  以下、図面に基づいて本考案の好適な実施例について説明する。図１に本考案による罠装置の一実施例の平面図を示す。また、この実施例の正面図を図２に示す。踏み板は中央踏み板片１、右側踏み板片２及び左側踏み板片３からなり、コイルバネ５ａ、５ｂ付きのヒンジ４ａ、４ｂによりそれぞれ回動可能に接続されている。これらのヒンジ４ａ、４ｂは、３枚の踏み板片が常時はほぼ水平に保持され、上から荷重がかかった際に下方へ折れ曲がるようコイルバネ５ａ、５ｂの弾性力により付勢している。【００１６】  一対のＵ字状ワイヤ保持枠１１ａ、１１ｂは、３枚の踏み板片１、２、３の外周に沿って配置され、中央踏み板片１の両側においてワイヤ保持枠支持ピン１２ａ、１２ｂにより回動自在に接続されている。Ｕ字状ワイヤ保持枠１１ａ、１１ｂはそれぞれ、倒した際に図２に示したように水平に対して先端がやや下側になるよう配置することが望ましい。この構成により、後述のストッパーを外して使用状態にした際の安定性を確保することができる。Ｕ字状ワイヤ保持枠１１ａ、１１ｂそれぞれの外周部には、捕獲ワイヤの保持を容易にするために、溝部１４を形成することが望ましい。（図３参照）【００１７】  右側踏み板片２及び左側踏み板片３それぞれの下部には支持脚６ａ、６ｂが設けられている。これらの支持脚６ａ、６ｂは、この罠装置を設置した際の安定性を保持する役割があるが、Ｕ字状ワイヤ保持枠１１ａ、１１ｂをそれぞれ横に倒してセットする際の位置決め部材としても機能する。図１及び図２においてはこれらの支持脚６ａ、６ｂを丸棒状として示したが、機能を満足するのであれば、形状や大きさなどは変更することができる。【００１８】  上記実施例の使用状況について説明する。図２が本装置をセットする際の状態を示す。この装置を地面に置くと、図２に示したように、指示脚６ａ、６ｂ上に踏み板片１、２、３がほぼ水平に並んだ状態となる。このとき、Ｕ字状ワイヤ保持枠１１ａ、１１ｂは両側に倒れた状態となり、指示脚６ａ、６ｂ上に保持される。Ｕ字状ワイヤ保持枠１１ａ、１１ｂにはそれぞれストッパー孔１３ａ、１３ｂが形成されており、これらの孔にストッパー２１を挿入することにより、Ｕ字状ワイヤ保持枠１１ａ、１１ｂの予期しない動作を防止することができる。この状態で、Ｕ字状ワイヤ保持枠１１ａ、１１ｂの周囲に縮小方向に付勢されたループ状捕獲部を有する捕獲ワイヤ（図示してない、市販のものが利用できる）を巡らして保持しておく。この捕獲ワイヤの例としては、例えば特許文献２の図４に示されている。使用状態にするためには、ストッパー２１を外しておく。【００１９】  上記実施例の罠装置の動作について説明すると、動物が踏み板片１、２、３のいずれかの部分を踏んだ際に、中央踏み板片１が下方に降下し、それによってＵ字状ワイヤ保持枠１１ａ、１１ｂの動作中心（ワイヤ保持枠支持ピン１２ａ、１２ｂの位置）が先端部（指示脚６ａ、６ｂの上部表面）よりも低くなる。前述の捕獲ワイヤは縮小方向に付勢されているため、Ｕ字状ワイヤ保持枠１１ａ、１１ｂの先端部が動作中心よりも高くなると、Ｕ字状ワイヤ保持枠１１ａ、１１ｂを跳ね上げて、上方に発射される。この状態を示すのが図４で��る。【００２０】  上記実施例においては、中央踏み板片１が下方に降下可能に接続されていて、常時ほぼ水平姿勢になるよう付勢されている構成を採用したが、バネ付きヒンジ４ａ、４ｂの取り付け方向を逆にして、左右の踏み板片２、３が中央踏み板片１に対して常時くの字に上方へ曲折するような構成をとることもできる。この場合は、Ｕ字状ワイヤ保持枠１１ａ、１１ｂを左右に寝かせてセットするのに力が必要となるが、寝かせた状態でストッパー２１を装着することによりＵ字状ワイヤ保持枠１１ａ、１１ｂを保持しておくことができる。この場合も、Ｕ字状ワイヤ保持枠１１ａ、１１ｂはそれぞれ、倒した際水平に対して先端がやや下側になるよう配置することが望ましい。この状態で、前述の捕獲ワイヤを装着すると、ワイヤの縮小方向の付勢力により、Ｕ字状ワイヤ保持枠１１ａ、１１ｂはそのままの状態で保持される。動物が踏み板片のいずれかを踏んだ際には、上記の実施例と同様にＵ字状ワイヤ保持枠１１ａ、１１ｂが動作して捕獲ワイヤを発射する。こちらの実施例の場合は、踏み板を踏んだ際にバネ付きヒンジ４ａ、４ｂの弾性力がＵ字状ワイヤ保持枠１１ａ、１１ｂの初動を補助するため、より早い初動速度が得られる。
【産業上の利用可能性】
【００２１】  以上説明したように、本考案による動物用罠装置は動物が踏み板を踏んだ際にどの場所を踏んでも容易に踏み板が降下するため、捕獲ワイヤの発射が確実になる。また、Ｕ字状ワイヤ保持枠と踏み板とが一体的に構成されているため持ち運びや操作が容易であるため、有害動物捕獲に極めて有用である。
【図面の簡単な説明】
【００２２】
【図１】本考案の実施例を示す平面図である。
【図２】図１に示した実施例の正面図である。
【図３】図１に示した実施例におけるＵ字状ワイヤ保持枠の構成を示す説明図である。
【図４】図１に示した実施例において、Ｕ字状ワイヤ保持枠が作動した状態を示す正面図である。
【符号の説明】
【００２３】１                  中央踏み板片
２                  右側踏み板片
３                  左側踏み板片
４ａ、４ｂ          ヒンジ
５ａ、５ｂ          踏み板用付勢手段
６ａ、６ｂ          支持脚
１１ａ、１１ｂ      ワイヤ保持枠
１２ａ、１２ｂ      ワイヤ保持枠支持ピン
１３ａ、１３ｂ      ストッパー孔
１４                溝部
２１                ストッパー
【図１】
0003168719.tif 000003
【図２】
0003168719.tif 000004
【図３】
0003168719.tif 000005
【図４】
0003168719.tif 000006
【手続補正書】
【提出日】平成23年1月5日(2011.1.5)
【手続補正１】
【補正対象書類名】実用新案登録請求の範囲
【補正対象項目名】請求項１
【補正方法】変更
【補正の内容】
【請求項１】
３枚の踏み板片からなり隣同士の踏み板片がバネ付ヒンジにより互いに回動可能に付勢接続された踏み板と、前記踏み板のうち中央踏み板片の外周前後両側においてワイヤ保持枠支持ピンにより前記踏み板表面に対し垂直方向に回動自在となるよう対向配置され、さらに保持枠外周部において捕獲ワイヤを保持できるよう構成された一対のＵ字状ワイヤ保持枠とからなることを特徴とする動物用罠装置。
【手続補正２】
【補正対象書類名】実用新案登録請求の範囲
【補正対象項目名】請求項６
【補正方法】変更
【補正の内容】
【請求項６】
前記一対のＵ字状ワイヤ保持枠両方にストッパー孔を設け、コの字型ストッパーを嵌合させることにより前記一対のＵ字状ワイヤ保持枠の作動を防止できるように構成されていることを特徴とする請求項１乃至５のいずれかに記載の動物用罠装置。
【手続補正書】
【提出日】平成23年4月4日(2011.4.4)
【手続補正１】
【補正対象書類名】実用新案登録請求の範囲
【補正対象項目名】請求項１
【補正方法】変更
【補正の内容】
【請求項１】
中央踏み板片、及びその両側に配置された右側踏み板片と左側踏み板片の３枚の踏み板片からなり、隣同士の踏み板片がバネ付ヒンジにより互いに回動可能に付勢接続された踏み板と、一対のＵ字状ワイヤ保持枠とからなり、このＵ字状ワイヤ保持枠は前記踏み板のうち中央踏み板片の右側踏み板片及び左側踏み板片と接続されていない外周両側においてワイヤ保持枠支持ピンにより前記踏み板表面に対し垂直方向に回動自在となるよう対向配置され、さらに保持枠外周部において捕獲ワイヤを保持できるよう構成されていることを特徴とする動物用罠装置。